(57)【要約】  電気トルクを電気機械（７）から受け取る一次側シャフト（１、６）の一次速度とトランスミッション二次側シャフト（１０）の一次速度よりも低い二次速度とを同期させるためのデバイスであって、一次側シャフト（１、６）および二次側シャフト（１０）は、切り離されており、一次側シャフト（１、６）は、一次速度と関連する運動エネルギーを有し、  本デバイスが、一次速度が二次速度に実質的に等しくなるまで、電気制動トルクを一次側シャフト（１、６）に提供するための手段、および一次側シャフト（１、６）によって失われる運動エネルギーを電気エネルギーの形で少なくとも部分的に回収し、前記電気エネルギーをエネルギー貯蔵手段に伝達するための手段を備えることを特徴とする。【選択図】図１
2019523725.tif 000002
【特許請求の範囲】
【請求項１】
電気トルクを電気機械（７）から受け取る一次側シャフト（１、６）の一次速度（ωｐ）とトランスミッション二次側シャフト（１０）の前記一次速度よりも低い二次速度とを同期させるためのデバイスであって、前記一次側シャフト（１、６）および前記二次側シャフト（１０）は、切り離されており、前記一次側シャフト（１、６）は、前記一次速度（ωｐ）と関連する運動エネルギーを有し、
前記デバイスが、前記一次速度が前記二次速度に実質的に等しくなるまで、電気制動トルク（Ｔｅ）を前記一次側シャフト（１、６）に供給するための手段、ならびに前記一次側シャフト（１、６）によって失われる前記運動エネルギーを電気エネルギーの形で少なくとも部分的に回収し、前記電気エネルギーをエネルギー貯蔵手段（７１）に伝達するための手段を含むことを特徴とする、デバイス。
【請求項２】
前記デバイスが、インバータ（７０）を含むことを特徴とする、請求項１に記載のデバイス。
【請求項３】
前記エネルギー貯蔵手段が、エネルギーバッファ（７３）に結合されるバッテリー（７２）を含むことを特徴とする、請求項１または２に記載のデバイス。
【請求項４】
前記エネルギーバッファ（７３）が、少なくとも１つのスーパーキャパシタ（８０）を含むことを特徴とする、請求項３に記載のデバイス。
【請求項５】
前記デバイスがさらに、前記一次側シャフトの制動中に前記電気エネルギーを前記エネルギーバッファ（７３）に充電し、いったん前記一次側シャフトが、同期されると、前記エネルギーバッファ（７３）を前記バッテリー（７２）に放電するように構成される制御ユニット（７４）を含むことを特徴とする、請求項３または４に記載のデバイス。
【請求項６】
前記制御ユニット（７４）が、チョッパ回路（８６）を含むことを特徴とする、請求項５に記載のデバイス。
【請求項７】
前記制御ユニット（７４）が、定義済みの低閾値を下回る前記バッテリー（７２）の充電レベルの通過を検出し、前記低閾値を下回る前記バッテリー（７２）の前記充電レベルの通過を検出する場合、前記エネルギーバッファ（７３）内に所定のエネルギーレベルを維持するように構成されることを特徴とする、請求項５または６に記載のデバイス。
【請求項８】
前記電気機械（７）が、前記一次側シャフト（１、６）の前記一次速度（ωｐ）と前記二次側シャフト（１０）の前記一次速度よりも高い前記二次速度とを同期させるために、加速トルクを供給するとき、前記制御ユニット（７４）が、前記エネルギーバッファ（７３）に含有される前記エネルギーを前記電気機械（７）に供給するように構成されることを特徴とする、請求項７に記載のデバイス。
【請求項９】
請求項１から８のいずれか一項に記載のデバイスを備える電気またはハイブリッド自動車。
【請求項１０】
電気トルクを電気機械（７）から受け取る一次側シャフト（１、６）の一次速度（ωｐ）とトランスミッション二次側シャフト（１０）の前記一次速度よりも低い二次速度とを同期させるための方法であって、前記一次側シャフト（１、６）および前記二次側シャフト（１０）は、切り離されており、前記一次側シャフト（１、６）は、前記一次速度（ωｐ）と関連する運動エネルギーを有し、
前記電気機械（７）が、前記一次側シャフト（１、６）の前記運動エネルギーを少なくとも部分的に回収し、前記エネルギーを貯蔵手段（７１）に伝達するように、前記一次速度が前記二次速度に実質的に等しくなるまで、再生モードにおいて電気制動トルク（Ｔｅ）を前記一次側シャフト（１、６）に供給するように制御されることを特徴とする、方法。
【発明の詳細な説明】
【技術分野】
【０００１】
本発明は、自動ギアボックスを備えたハイブリッドまたは電気自動車においてギアを切り替える分野に関する。本発明はより詳しくは、一次側シャフトと二次側シャフトとを同期させるためのデバイスに関する。本発明はまた、対応する自動車および対応する方法にも関する。
【背景技術】
【０００２】
本発明は、トルクの中断を伴う変速比の切り替えが、自動車の車輪に接続されるシャフトを中心に自由に回転できる２つのギア間の結合手段の動きによってもたらされる、平行シャフトを有する任意のトランスミッションに当てはまる。
【０００３】
本発明は、自動車の車輪に接続される二次側シャフトに少なくとも１つの中間ギアをそれぞれ運ぶ２つの同心状一次側シャフト、および燃焼機関が、電気機械を車輪に接続するトランスミッションから切り離される（第１の位置）、燃焼機関が、電気機械からの追加有りもしくは無しの状態で車輪を駆動する（第２の位置）、または燃焼機関が、それらのトルクを追加するために電気機械に結合される（第３の位置）、という３つの位置を占めることができる２つの一次側シャフト間の第１の結合手段を含む、燃焼機関および電気駆動機械を設けられている自動車のためのハイブリッドトランスミッションへの１つの限定されない応用を見いだす。
【０００４】
図１は、このアーキテクチャ原理に基づくハイブリッドトランスミッションの１つの限定されない例を記述する。このトランスミッションは、フィルタシステム（ダンパーハブ、ダンパー二重フライホイールまたは類似のもの）２を用いて燃焼機関（図示されず）のフライホイール３に直接接続される中実一次側シャフト１を含む。中実シャフト１は、第１の結合システム５（ドッグクラッチ、同期装置、または他の種類の進行性もしくは非進行性カプラ）によって接続され得るアイドラギア４を担持する。中空一次側シャフト６は、電気機械７のロータに接続される。中空シャフト６は、２つの固定ギア８、９を担持する。中空シャフト６は、結合システム５によって中実一次側シャフト１に接続することができる。二次側シャフト１０は、２つのアイドラギア１１および１２を担持する。アイドラギア１１、１２は、第２の結合システム１３（ドッグクラッチ、同期装置、または他の種類の進行性もしくは非進行性カプラ）によって一次側シャフトに接続することができる。二次側シャフト１０はまた、固定ギア１４および自動車の車輪に接続される差動装置１６への中間ギア１５も担持する。
【０００５】
上述の通り、第１の結合手段５は、
−  燃焼機関が、電気機械７を車輪に接続するトランスミッションから切り離される（図１でのような中心におけるスライディングギア）、
−  燃焼機関が、電気機械からの追加有りまたは無しの状態で車輪を駆動する（左側のスライディングギア）、および
−  燃焼機関および電気機械７が、それらのそれぞれのトルクを車輪の方向に追加するように結合される（右側のスライディングギア）、という少なくとも３つの位置を占めることができる。
【０００６】
自動ギアボックスを備えた自動車の運転者の快適性は、ギア切り替えにかかる時間に大きく依存する。ギア切り替えは、一次側シャフトの速度と減速比を乗じた二次側シャフトの速度との間の速度差の低減を必要とし、その減速比は、使用中の変速比に依存する。一次側および二次側シャフトを結合することは、速度差が、ある閾値を下回るときだけ可能である。図２ａおよび図２ｂに示されるように、低速へのギア切り替え中に、例えば図２ａにおいて変速比ＥＶ２から変速比ＥＶ１への間に、一次側シャフトは、例えば図２ｂにおいて２０００ｒｐｍの一次速度ωｐから６０００ｒｐｍの一次速度ωｐに行くために加速されなければならず、高速へのギア切り替え中に、例えば図２ａにおいて変速比ＥＶ１から変速比ＥＶ２への間に、一次側シャフトは、例えば図２ｂにおいて６０００ｒｐｍの一次速度ωｐから２０００ｒｐｍの一次速度ωｐに行くために減速されなければならない。図１では、変速比ＥＶ１は、ギア８および１２に対応し、ドッグクラッチ１３は、右側に位置決めされ、変速比ＥＶ２は、ギア９および１１に対応し、ドッグクラッチ１３は、左側に位置決めされる。
【０００７】
特許出願ＦＲ２９８８７９９およびＦＲ３００３６２０は、ハイブリッド自動車について、特に低速へのギア切り替え中にトルクを提供するために、自動車の一次側シャフトと二次側シャフトとを同期させるために自動車の電気機械の使用を示唆する。高速へのギア切り替えについては、一次側シャフトの一次速度と関連する運動エネルギーの一部は、従来は一次側シャフトを制動するために機械的損失を通じて散逸される。
【０００８】
自動車のエネルギー消費を低減するという文脈において、高速へのギア切り替え中に一次側シャフトの減速から生じる運動エネルギーをバッテリー内の電気エネルギーの形で回収することは、関心のあることである。目指している目標は、２００ｍｓ程度の短い同期時間を達成することであるという点において、関係しているパワーは、比較的高く、５０ｋＷ程度である。今、バッテリーが、１００％に近い、例えば９０％の充電レベルに達するとき、バッテリーは、わずかなパワーだけを受け取ることができる。これは、高速へのギア切り替え中にエネルギーの回収への障害を構成する。
【０００９】
その上、素早い低速へのギア切り替えを可能にするためには、一次側シャフトを加速するために電気機械に高いパワーを供給することが、必要である。今、バッテリーが、０％に近い、例えば１０％の充電レベルに達するとき、バッテリーは、わずかなパワーだけを供給することができる。これは、運転者の快適性への障害を構成する。
【発明の概要】
【００１０】
本発明は、前述の不都合を軽減することを目指す解決策を提案する。本発明の１つの目的は、高速へのギア切り替え中にシャフトを同期させるために電気機械の再生モードの使用のおかげでより良いエネルギー効率を可能にすることである。本発明はまた、運転者の快適性を改善する目的も有する。
【００１１】
本発明は、電気機械から電気トルクを受け取る一次側シャフトの一次速度とトランスミッション二次側シャフトの一次速度よりも低い二次速度とを同期させるためのデバイスであって、一次側および二次側シャフトは、切り離されており、一次側シャフトは、一次速度と関連する運動エネルギーを有し、デバイスが、一次速度が二次速度に実質的に等しくなるまで、電気制動トルクを一次側シャフトに供給するための手段、ならびに一次側シャフトによって失われる運動エネルギーを電気エネルギーの形で少なくとも部分的に回収し、前記電気エネルギーをエネルギー貯蔵手段に伝達するための手段を含むことを特徴とする、デバイスに関する。一次側シャフトの運動エネルギーの回収は、自動車内のより良いエネルギー効率を可能にする。
【００１２】
１つの特定の実施形態によると、本デバイスは、インバータを含む。再生要素としてのインバータの使用は、もしインバータが、電気機械の供給電圧を作成するためにすでに存在するならば、一次側シャフトの運動エネルギーを回収するために追加のコンポーネントを必要としないという利点を有する。
【００１３】
１つの特定の実施形態によると、エネルギー貯蔵手段は、エネルギーバッファに結合されるバッテリーを含む。バッテリーに結合されるエネルギーバッファは、バッテリーの充電レベルが何であれ、貯蔵手段がバッテリーの最大利用可能パワーに対応するパワーを供給することができることを可能にする。類似の仕方で、バッテリーに結合されるエネルギーバッファは、バッテリーの充電レベルが何であれ、貯蔵手段がバッテリーの最大受け入れ可能パワーに対応するパワーを受け取ることができることを可能にする。その結果、この実施形態は、運転者の快適性を向上させ、エネルギー効率を改善することを可能にする。
【００１４】
１つの特定の実施形態によると、エネルギーバッファは、少なくとも１つのスーパーキャパシタを含む。スーパーキャパシタは、本発明が目指すエネルギー貯蔵容量を限られたコストおよび限られた全体サイズで達成することを可能にするという利点を有する。
【００１５】
１つの特定の実施形態によると、本デバイスはさらに、一次側シャフトの制動中に前記電気エネルギーをエネルギーバッファに充電し、いったん一次側シャフトが、二次側シャフトと同期されると、エネルギーバッファをバッテリーに放電するように構成される制御ユニットを含む。制御ユニットは、バッテリーおよびエネルギーバッファの充電および放電の組織化を可能にする。
【００１６】
１つの特定の実施形態によると、制御ユニットは、チョッパ回路を含む。チョッパ回路は、適切な電流によるバッテリーへのエネルギーバッファの放電およびバッテリーに関係する電圧制限のないエネルギーバッファの充電を可能にする。
【００１７】
１つの特定の実施形態によると、制御ユニットは、定義済みの低閾値を下回るバッテリーの充電レベルの通過を検出し、低閾値を下回るバッテリーの充電レベルの通過を検出する場合にエネルギーバッファ内の所定のエネルギーレベルを維持するように構成される。それに応じて、もしバッテリーの充電レベルが、低速へのギア切り替え中にバッテリーが十分速い同期に必要なパワーを電気機械に供給することを可能にしないならば、エネルギーバッファは、電気機械へのパワーの追加を提供するために利用できる十分なエネルギーを有する。
【００１８】
１つの特定の実施形態によると、バッテリーは、ギア比の切り替え後に所定のエネルギーレベルがエネルギーバッファ内に維持されることを可能にするエネルギーを供給する。
【００１９】
１つの特定の実施形態によると、制御ユニットは、電気機械が、一次側シャフトの一次速度と二次側シャフトの一次速度よりも高い二次速度とを同期させるために加速トルクを供給するとき、エネルギーバッファに含有されるエネルギーを電気機械に供給するように構成される。それ故に、同期時間は、低減され、運転者の快適性は、改善される。
【００２０】
本発明はまた、前記デバイスを備える電気またはハイブリッド自動車にも関する。
【００２１】
本発明はさらに、電気機械から電気トルクを受け取る一次側シャフトの一次速度とトランスミッション二次側シャフトの一次速度よりも低い二次速度とを同期させるための方法であって、一次側および二次側シャフトは、切り離されており、一次側シャフトは、一次速度と関連する運動エネルギーを有し、電気機械が、一次側シャフトの運動エネルギーを少なくとも部分的に回収し、前記エネルギーを貯蔵手段に伝達するように、一次速度が二次速度に実質的に等しくなるまで、再生モードにおいて電気制動トルクを一次側シャフトに供給するように制御されることを特徴とする、方法。
【００２２】
他の革新的な利点および特徴は、添付の図面を参照して、限定されない実例として提供される、次に来る記述から現れることになる。
【図面の簡単な説明】
【００２３】
【図１】ニュートラルおよびその２つの電気的比率にある従来技術のハイブリッドトランスミッションを示す図である。
【図２ａ】従来技術での時間の経過による変速比の切り替えを示す図である。
【図２ｂ】図２ａでの変速比の切り替えに対応する一次側シャフトの一次速度の切り替えを示す図である。
【図３】パーク軸系での本発明の一実施形態による電気機械の図式的表示である。
【図４】図３からの電気機械の制御構造の図である。
【図５ａ】本発明の一実施形態での時間の経過による変速比の切り替えを示す図である。
【図５ｂ】図５ａからの変速比の切り替えに対応する、電気機械によって供給されるトルクの変動を示す図である。
【図５ｃ】図５ｂからの電気機械によって供給されるトルクの変動に対応するバッテリーの端子における電圧の変動を示す図である。
【図６】エネルギーバッファの有無によるバッテリーの充電レベルの関数としてバッテリー利用可能なパワーおよびバッテリー受け入れ可能なパワーを示す図である。
【図７】本発明の一実施形態でのエネルギーバッファを含むエネルギー貯蔵手段の機能図である。
【図８】図７からのエネルギーバッファおよびその制御ユニットの機能図である。
【発明を実施するための形態】
【００２４】
自動ギアボックスを備えたハイブリッドまたは電気自動車の文脈において、本発明は、一次側シャフトが、電気機械からトルクを受け取り、二次速度が、一次速度よりも低い、すなわち高速へのギア切り替えの場合という構成において、一次側シャフトの一次速度とトランスミッション二次側シャフトの二次速度とを同期させるためのデバイスを提案する。そのような同期中は、一次側および二次側シャフトは、切り離されており、言い換えれば、ギアボックスは、ニュートラルにあり、自動車は、惰性で進んでいる。前記構成では、同期は、電気機械が、一次速度と二次速度との間の差が所定の閾値を下回るまで一次速度を低減するために、制動トルクを一次側シャフトに供給するように、電気機械を制御することにある。回転する一次側シャフトは、一次速度と関連する運動エネルギーを有する。ここで、一次速度の低減は、一次側シャフトの運動エネルギーの低減につながる。本発明は、電気機械によるその制動中に一次側シャフトの運動エネルギーの一部を取り上げ、その運動エネルギーの一部を散逸させるよりもむしろ貯蔵することを提案する。運動エネルギー部分は、再生要素を用いて取り上げられ、電気エネルギーに変換され、次いでエネルギー貯蔵手段に送られる。
【００２５】
図３では、本発明による電気機械７は、パーク軸系において図式的に表される。電気機械７は、例えば永久磁石三相同期電気機械である。電気機械７は、それらの間に２π／３の３つの角度を形成する３つの軸ｘ１、ｘ２、ｘ３とそれぞれ整列される３つの巻線３１、３２および３３を備えるステータを含む。３つの巻線３１、３２、３３では、２π／３だけそれぞれ位相シフトした、正弦波電流Ｉ１、Ｉ２、Ｉ３が、それぞれ循環する。また正弦波であり、２π／３だけそれぞれ位相シフトもした、電圧Ｖ１、Ｖ２およびＶ３が、３つの巻線３１、３２、３３の端子にそれぞれ印加される。ステータは従って、電気機械７内に回転磁界を生成する。電気機械７はさらに、角速度ωｒで回るように、ステータによって生成される回転磁界と自然に整列される永久磁石を含むロータ３４を含む。本例の構成では、角速度ωｒは、電流および電圧の正弦波信号の角周波数に等しい。図示されるパーク軸系は、２つの軸ｄおよびｑを含み、ｄは、回転磁界と整列され、ｑは、ｄに対して直接直交している。パーク軸系では、電流および電圧の投影は、定数である。
【００２６】
電気機械７を使用して制御された制動トルクを一次側シャフトに供給することを目指して、制御構造が、提案される。図４は、図３に示されるモデルに対応する制御構造例を提案する。図３でのモデルは、次の方程式、
2019523725.tif 000003
が電気機械７を制御する際に使用される様々なパラメータ間で確立されることを可能にし、ただし、
−  ＶｄおよびＶｑは、パーク軸系の軸ｄおよびｑにそれぞれ印加されるボルト単位での電圧であり、
−  ＩｄおよびＩｑは、パーク軸系の軸ｄおよびｑ上でそれぞれ循環するアンペア単位での電流であり、
−  Ｒｓは、電気機械のステータのオーム単位での等価抵抗であり、
−  ＬｄおよびＬｑはそれぞれ、パーク軸系の軸ｄおよびｑ上でのヘンリー単位でのインダクタンスであり、
−  ωｒは、電気機械の磁界の１秒当たりのラジアン単位での回転速度であり、
−  Φｆは、ロータの磁石によって発生されるウェーバ単位での磁束である。
この表記法を用いると、電気機械は、
（Ｅ２）          Ｔｅ＝Φｆ・Ｉｑ＋Ｉｄ・Ｉｑ（Ｌｄ−Ｌｑ）
と書かれるトルクＴｅを供給する。
上記の方程式は、図４からの制御構造が確立されることを可能にする。入力データＴｅ＿ｃｏｎｓは、電気機械７によって供給すべき設定点制動トルクに対応する。第１の計算モジュール４１は、設定点制動トルクＴｅ＿ｃｏｎｓから、方程式Ｅ２を満たすようにパーク軸系での設定点電流Ｉｄ＿ｃｏｎｓおよびＩｑ＿ｃｏｎｓの計算を可能にする。設定点電流Ｉｄ＿ｃｏｎｓおよびＩｑ＿ｃｏｎｓは、第２の計算モジュール４２によって、電気機械７内で測定される電流Ｉ１、Ｉ２およびＩ３のパーク変換から得られる電流ＩｄおよびＩｑと比較され、パーク変換は、第３の計算モジュール４３によって計算される。第２の計算モジュール４２からの電流Ｉｄ＿ｃｏｎｓ−ＩｄおよびＩｑ＿ｃｏｎｓ−Ｉｑの比較は次いで、第４の計算モジュール４４において、補正された電流設定点Ｉｄ＿ｃｏｎｓ．ｃおよびＩｑ＿ｃｏｎｓ．ｃの計算を可能にする。補正された電流設定点Ｉｄ＿ｃｏｎｓ．ｃおよびＩｑ＿ｃｏｎｓ．ｃから、パーク軸系での電圧設定点Ｖｄ＿ｃｏｎｓおよびＶｑ＿ｃｏｎｓが、方程式Ｅ１の系に従って、第５の計算モジュール４５において計算される。第６の計算モジュール４６は、実際の電圧設定点Ｖ１＿ｃｏｎｓ、Ｖ２＿ｃｏｎｓおよびＶ３＿ｃｏｎｓを得るためにパーク軸系での電圧設定点Ｖｄ＿ｃｏｎｓおよびＶｑ＿ｃｏｎｓに基づいて逆パーク変換を計算する。インバータ７０は、電気機械７に実際の電圧設定点Ｖ１＿ｃｏｎｓ、Ｖ２＿ｃｏｎｓおよびＶ３＿ｃｏｎｓに適合する正弦波電圧Ｖ１、Ｖ２およびＶ３を印加する。
【００２７】
設定点制動トルクＴｅ＿ｃｏｎｓを適用することによって得られる制動トルクＴｅは、一次速度と二次速度との間の差が、所定の閾値を下回るまで、維持される。
【００２８】
インバータ７０は、その制動中に一次側シャフトによって失われる運動エネルギーの一部を取り上げ、この運動エネルギー部分を電気エネルギーに変換し、前記電気エネルギーをエネルギー貯蔵手段、例えばバッテリーに伝達するように構成される。この例では、インバータ７０は、再生要素である。
【００２９】
図５ａ、図５ｂおよび図５ｃは、例えばＥＶ１からＥＶ２への、高速への変速比切り替え中に、電気機械７が、一次速度ωｐを例えば６０００ｒｐｍから２０００ｒｐｍに低減するために、負のトルクを供給するということを示す。この文脈では、インバータは、一次側シャフトの運動エネルギーによって作成される電気エネルギーをバッテリーに送り、バッテリーの端子における電圧Ｕｂａｔｔｅｒｉｅは、増加する。逆に、例えばＥＶ２からＥＶ１への低速への変速比切り替え中に、電気機械７は、一次速度ωｐを例えば２０００ｒｐｍから６０００ｒｐｍに増加させるために、正のトルクＴｅを供給する。この文脈では、インバータは、電気エネルギーをバッテリーから取り込み、バッテリーの端子における電圧Ｕｂａｔｔｅｒｉｅは、減少する。
【００３０】
図６では、バッテリーの充電レベルの関数として、バッテリーが供給することができる利用可能なパワーＰｄｉｓｐｏｎｓｉｂｌｅおよびバッテリーが受け取ることができる受け入れ可能なパワーＰａｄｍｉｓｓｉｂｌｅが、示される。古典的構成、すなわちグラフの影付きでない部分を考察すると、バッテリーの充電レベルが、低いとき、例えば、充電レベルが、１０％を下回るとき、バッテリーは、充電レベルが、１０％を上回るときに利用できるパワーＰｍａｘ＿ｄｉｓｐｏよりも小さい、限られたパワーＰｄｉｓｐｏｎｉｂｌｅだけを供給することができる。その結果、バッテリーは、良好な運転者の快適性を提供するために十分に短時間で一次側シャフトと二次側シャフトとを同期させるのに十分な電圧Ｕｂａｔｔｅｒｉｅを供給することができない。類似の仕方で、バッテリーの充電レベルが、高いとき、例えば、充電レベルが、９０％を上回るとき、バッテリーは、充電レベルが９０％を下回るときに受け入れられるパワーＰｍａｘ＿ａｄｍｉｓよりも小さい、限られたパワーＰａｄｍｉｓｓｉｂｌｅだけを受け取ることができる。その結果、バッテリーは、良好な運転の快適性を提供するために十分に短時間で一次側シャフトと二次側シャフトとを同期させるのに十分な電圧Ｕｂａｔｔｅｒｉｅを受け取ることができない。この状況では、一次速度は、機械損失を通じて低減され、一次速度の低減に対応する運動エネルギーは、散逸される。この状況は、貧弱な運転者の快適性および貧弱なエネルギー効率という二重の不都合につながる。本発明は、充電レベルが、１０％を下回るまたは９０％を上回るという限定する状況を含み、最適動作を提供するためにエネルギーバッファをバッテリーに結合することを提案する。最適動作は、バッテリーの充電レベルが何であっても、グラフの影付き部分および影付きでない部分の組み合わせによって図６に表されるように、Ｐｍａｘ＿ｄｉｓｐｏに等しい利用可能なパワーＰｄｉｓｐｏｎｉｂｌｅおよびＰｍａｘ＿ａｄｍｉｓに等しい受け入れ可能なパワーＰａｄｍｉｓｓｉｂｌｅに対応する。
【００３１】
エネルギーバッファを評価するという純粋に説明に役立つ観点から、電気機械の公称パワーが、５０ｋＷ程度であり、同期時間が、２００ｍｓ程度であるとすると、エネルギーバッファは、５０ｋＷのパワーを受け取りまたは供給し、１０ｋＪのエネルギーを受け取りまたは供給すると評価されなければならない。エネルギーバッファは、５０ｍＦの等価キャパシタンスを得るように、例えば一組の直列のスーパーキャパシタであり、スーパーキャパシタは、目指すエネルギー貯蔵容量が限られたコストおよび限られた全体的サイズについて達成されることを可能にするという利点を有する。
【００３２】
図７では、バッテリー７２および制御ユニット７４によって制御されるエネルギーバッファ７３を含む貯蔵手段７１が、示される。
【００３３】
図８では、図７からのエネルギーバッファ７３が、示される。エネルギーバッファ７３は、第２の期間内にエネルギーを出力するために第１の期間内にエネルギーの貯蔵を可能にする、一組の直列のスーパーキャパシタ８０および巻線８１を含む。エネルギーバッファ７３はまた、制御ユニット７４の出力Ｃｏｍ３およびＣｏｍ２によってそれぞれ制御され、電流の方向を課すダイオード８３および８５にそれぞれ結合される、２つのトランジスタ８２および８４も含む。ダイオード８３は、スーパーキャパシタ８０の組を充電することに対応する電流方向を課し、ダイオード８５は、スーパーキャパシタの組を放電することに対応する電流方向を課す。その結果、エネルギーバッファ７３の充電を制御するために、制御ユニット７４は、トランジスタ８２の閉鎖およびトランジスタ８４の開放を命令し、エネルギーバッファ７３を放電することについては逆もまた同様である。エネルギーバッファ７３はさらに、スーパーキャパシタ８０の組の端子における電圧のチョッピングを可能にするトランジスタ８６を含む。エネルギーバッファ７３を充電する段階では、スーパーキャパシタ８０の組の端子における電圧が、バッテリーの端子における電圧を下回るとき、制御ユニット７４は、トランジスタ８６の開放を命令する。スーパーキャパシタの組の端子における電圧とバッテリーの端子における電圧との比が、反転されるとき、制御ユニット７４は、スーパーキャパシタ８０の組の端子における平均電圧をバッテリー電圧よりも下に戻し、従ってエネルギーバッファを充電し続けるために、スーパーキャパシタ８０の組の端子における電圧をチョップするように、トランジスタ８６の閉鎖および開放のサイクルを命令する。エネルギーバッファをバッテリーに放電する段階では、制御ユニット７４はまた、バッテリー７２に送られる再充電電流を調節するために、スーパーキャパシタの組の端子における電圧をチョップするようにトランジスタ８６に命令する。
【００３４】
バッテリーの低い充電レベルの場合に良好な運転者の快適性を確実にするために、制御ユニット７４は、定義済みの低閾値を下回るバッテリーの充電レベルの通過を検出し、必要ならば、達成すべき受け入れ可能な最大パワーレベルでの速度同期を可能にするエネルギーバッファ内の所定のエネルギーレベルを維持するために、バッテリーによるエネルギーバッファ７３へのパワーの供給を命令するように構成される。バッテリーは、日常的にCANと呼ばれる、自動車の通信ネットワークにわたって、定義済みの低い閾値を下回るバッテリーの充電レベルの通過を検出するために制御ユニット７４に必要な情報を送る。エネルギーバッファ７３が、関係しているところでは、電圧測定コンポーネントは、エネルギーバッファに貯蔵されるエネルギーの見積もりを可能にする。
【００３５】
本発明は、例として上で述べられる。当業者は、本発明の範囲から逸脱することなく、例えば上記の様々な特徴を別々にまたは組み合わせて関連付けることによって、本発明の異なる変形実施形態を作成できる立場にあるということが、理解される。
【図１】
2019523725.tif 000004
【図２ａ】
2019523725.tif 000005
【図２ｂ】
2019523725.tif 000006
【図３】
2019523725.tif 000007
【図４】
2019523725.tif 000008
【図５ａ】
2019523725.tif 000009
【図５ｂ】
2019523725.tif 000010
【図５ｃ】
2019523725.tif 000011
【図６】
2019523725.tif 000012
【図７】
2019523725.tif 000013
【図８】
2019523725.tif 000014
【国際調査報告】
2019523725.tif 000015
2019523725.tif 000016
2019523725.tif 000017
2019523725.tif 000018
2019523725.tif 000019
2019523725.tif 000020